(57)【要約】【課題】  正しいスイングを容易に体感して、理想的な美しいスイングを効率よく習得することができるゴルフ練習器具を提供する。【解決手段】  それぞれ直線状に形成された本体部２ａと装着部２ｂとの間に湾曲部２ｃを有するシャフト２と、本体部２ａの基端側に設けられたグリップ３と、装着部２ｂが装着されゴルフボールを打撃可能なヘッド４とを備え、湾曲部２ｃは、本体部２ａの長さよりも短い長さに形成され、使用者がアドレスの状態でヘッド４を地面Ｇにソールしたときに、使用者の正面方向に向けて一定の曲率半径で円弧状に湾曲するゴルフ練習器具１である。【選択図】  図４
0003219015.tif 000002
【実用新案登録請求の範囲】
【請求項１】
それぞれ直線状に形成された本体部と装着部との間に湾曲部を有するシャフトと、
前記本体部の基端側に設けられたグリップと、
前記装着部が装着されゴルフボールを打撃可能なヘッドとを備え、
前記湾曲部は、前記本体部の長さよりも短い長さに形成され、使用者がアドレスの状態で前記ヘッドを地面にソールしたときに、使用者の正面方向に向けて一定の曲率半径で円弧状に湾曲するゴルフ練習器具。
【請求項２】
前記湾曲部の曲率半径は、１３００〜１５００ｍｍである請求項１に記載のゴルフ練習器具。
【請求項３】
前記本体部の軸線と前記装着部の軸線とのなす角度が、側面視において１５〜２０度である請求項１または２に記載のゴルフ練習器具。
【考案の詳細な説明】
【技術分野】
【０００１】
本考案は、ゴルフクラブのスイング練習に使用するゴルフ練習器具に関し、より詳しくは、ゴルフボールの打撃練習が可能なゴルフ練習器具に関する。
【背景技術】
【０００２】
従来のゴルフ練習器具として、特許文献１には、湾曲したシャフトの先端にクラブヘッドを備えるゴルフクラブが開示されている。シャフトは、バット端部の直線軸よりもクラブヘッドが後方に位置することで、ボールインパクト時のハンドファースト角度を形成するように湾曲しており、クラブヘッドに設けられたアドレスマークにより、プレーヤーが正しいハンドファースト位置を認識することができるとされている。
【先行技術文献】
【特許文献】
【０００３】
【特許文献１】特開２０１６−５０４１４０号公報
【考案の概要】
【考案が解決しようとする課題】
【０００４】
上記従来のゴルフ練習器具は、スイング時に発生する慣性モーメントが通常のゴルフクラブと同様に小さいため、スイング中に使用者が正しいスイングを体感し難いという問題があった。
【０００５】
そこで、本考案は、正しいスイングを容易に体感して、理想的な美しいスイングを効率よく習得することができるゴルフ練習器具の提供を目的とする。
【課題を解決するための手段】
【０００６】
本考案の前記目的は、それぞれ直線状に形成された本体部と装着部との間に湾曲部を有するシャフトと、前記本体部の基端側に設けられたグリップと、前記装着部が装着されゴルフボールを打撃可能なヘッドとを備え、前記湾曲部は、前記本体部の長さよりも短い長さに形成され、使用者がアドレスの状態で前記ヘッドを地面にソールしたときに、使用者の正面方向に向けて一定の曲率半径で円弧状に湾曲するゴルフ練習器具により達成される。
【０００７】
このゴルフ練習器具において、前記湾曲部の曲率半径は、１３００〜１５００ｍｍであることが好ましい。
【０００８】
また、前記本体部の軸線と前記装着部の軸線とのなす角度が、側面視において１５〜２０度であることが好ましい。
【考案の効果】
【０００９】
本考案によれば、正しいスイングを容易に体感することができ、理想的な美しいスイングを効率よく習得することができるゴルフ練習器具を提供することができる。
【図面の簡単な説明】
【００１０】
【図１】本考案の一実施形態に係るゴルフ練習器具の側面図である。
【図２】図１に示すゴルフ練習器具の正面図である。
【図３】図２に示すゴルフ練習器具の変形例を示す正面図である。
【図４】図１に示すゴルフ練習器具の使用状態を使用者の後方から見た図である。
【考案を実施するための形態】
【００１１】
以下、本考案の一実施形態について添付図面を参照しつつ説明する。図１および図２は、本考案の一実施形態に係るゴルフ練習器具の側面図および正面図である。図１および図２に示すように、ゴルフ練習器具１は、シャフト２の基端側および先端側に、グリップ３およびヘッド４がそれぞれ設けられており、一般的なゴルフクラブと同様に、グリップ３を把持してヘッド４によりゴルフボールを打撃することができる。
【００１２】
シャフト２は、金属や硬質樹脂等からなる筒状の部材であり、それぞれ直線状に延びる本体部２ａと装着部２ｂとの間に、湾曲部２ｃを備えている。湾曲部２ｃは、使用者がアドレスの状態でヘッド４を地面にソールしたときに、使用者の正面方向に向けて一定の曲率半径で円弧状に湾曲する。湾曲部２ｃの長さは、本体部２ａの長さよりも短くなっており、一例を挙げると、シャフト２の全体の長さを９００〜１０００ｍｍとした場合に、２２０〜２３０ｍｍに設定することができる。図１に示す湾曲部２ｃの曲率半径Ｒは、大きすぎるとスイング中に慣性モーメントを体感し難くなる一方、小さすぎるとヘッド４によるゴルフボールの打撃が困難になり易いことから、１３００〜１５００ｍｍの範囲に設定することが好ましい。
【００１３】
グリップ３およびヘッド４は、いずれも一般的なゴルフクラブと同様のものを使用することができる。グリップ３は、シャフト２の湾曲方向となる上側に、線や文字等のマーク部３ａが形成されており、本体部２ａの基端部に装着される。ヘッド４は、ソール４ａ、フェース４ｂおよびホーゼル４ｃを有しており、装着部２ｃの全体をホーゼル４ｃに挿入することにより、シャフト２に装着される。ヘッド４の形状は、本実施形態ではアイアン型（例えば７番アイアン）としているが、図３に示すようなウッド型などゴルフボールを打撃できる他の形状であってもよい。
【００１４】
上記の構成を備えるゴルフ練習器具１は、図４に示すように、マーク部３ａが上方を向くように使用者Ｕがグリップ３を把持し、ヘッド４のソール４ａを地面Ｇにつけてゴルフスイングのアドレスの姿勢をとると、シャフト２の湾曲部２ｃが使用者の正面方向に向けて一定の曲率半径で円弧状に湾曲しているため、使用者Ｕの両脇が自然に締まり、望ましいハンドダウンに構えることができる。なお、グリップ３のマーク部３ａは必ずしも必要ではなく、使用者Ｕがシャフト２の湾曲方向を基準にグリップ３を把持するようにしてもよい。
【００１５】
図４に示すアドレスの姿勢においては、ヘッド４を地面Ｇにソールしたときに、本体部２ａの軸線Ｌ１と地面Ｇとのなす角度α（すなわち、一般的なゴルフクラブのライ角）に対して、装着部２ｂの軸線Ｌ２と地面Ｇとのなす角度β（すなわち、本実施形態のゴルフ練習器具１のライ角）が小さくなるように、ゴルフ練習器具１が形成されており、これによってゴルフボールの打撃が可能となっている。上記の軸線Ｌ１とＬ２とのなす角度θ（＝α―β）は、図４に示す側面視において１５〜２０度の範囲に設定することが好ましく、これによってスイング中の慣性モーメントを体感しながらの打撃練習が容易になり、後述する練習効果を高めることができる。
【００１６】
ボールの打撃練習を行う際には、上記のアドレスの状態からテイクバックを開始する。テイクバックの初動で誤ったオープンの動作を入れてしまうと、シャフト２が湾曲していることで大きく寝た状態になるため、左脇が空いてトップの位置にスムーズに上がらなくなる。したがって、スクエアな初動を自然に体感することができる。
【００１７】
シャフト２の湾曲部２ｃによって、テイクバックの途中からはオープン方向への慣性モーメントが作用するため、トップの位置に向かうテイクバックの後半は、自然にローテーションが入る。このローテーション効果によって、右手首が正しく甲側に折れやすくなるため、トップの位置でゴルフ練習器具１の重さを容易に感じることができ、シャフトクロスやオーバースイング等のエラーを矯正することができる。
【００１８】
トップからダウンスイングにおいては、オープンの状態で行われると左脇が空いてしまい、グリップ３が浮いた状態でインパクトを迎えることになるため、シャフト２が立って降りてくる動きを理解することができ、左脇が締まったダウンスイングを行うことができる。インパクトにおいては、湾曲部２ｃの向きによって、スクエアな状態を目視および手の感覚で確認することができる。
【００１９】
インパクト後のフォロースルーは、シャフト２に大きな慣性モーメントが作用するために、正しいフォーアームローテーションが可能になる。これにより、左ひじのたたみがスムーズになり、フォロースルーで肘が引けるエラーを矯正することができる。この結果、正しくとれたフィニッシュと、肘が引けたフィニッシュとの違いを大きく感じとることができ、フィニッシュでのシャフト２の収まる場所と角度を正しく理解することができる。
【００２０】
このように、本実施形態のゴルフ練習器具１は、ボールの打撃練習を行う際に、正しいスイングの全体を自然に行うことができるので、使用者Ｕの体の周りに綺麗なループの残像が残り、美しいスイングやスイングプレーンのイメージが形成される。この結果、初心者から上級者まで、理想的なスイングを効率よく習得することができ、パワーロスに繋がるスイング上の問題（ハンドアップのインパクト、体からグリップが離れたインパクト、スイングプレーンがいびつ、ダウンスイングでの右肘のリリースの遅れ、フォロースルーでの左肘の引け、インパクト時の左グリップのゆるみ等）を解消することができる。
【符号の説明】
【００２１】
１  ゴルフ練習器具
２  シャフト
２ａ  本体部
２ｂ  装着部
２ｃ  湾曲部
３  グリップ
４  ヘッド
４ａ  ソール
【図１】
0003219015.tif 000003
【図２】
0003219015.tif 000004
【図３】
0003219015.tif 000005
【図４】
0003219015.tif 000006